(57)【要約】      （修正有）【課題】太刀魚は海中の下から上方向の魚を狙って食べている。太刀魚の高釣果を可能とする構造を持つイワシ刺し餌保持装置の提供。【解決手段】幹糸１を錘１１に取付けるフック２を有し、タチウオテンヤのオモリ１１から水平に取り付けた金属性横軸３の片側方向のみに４本の刺餌針４を直角・水平方向に取付けたイワシ刺餌保持装置。従来のようにイワシの腹の真下に横軸が来ないので太刀魚は安心して刺し餌を食べに行く。高釣果が期待できるイワシ刺餌保持装置である。【選択図】図１
2020184982.tif 000002
【特許請求の範囲】
【請求項１】
タチウオテンヤのオモリから水平に取り付けた金属性横軸の片側のみに４本の刺餌針を直角・水平方向に取り付けたイワシ刺餌保持装置。
【発明の詳細な説明】
【技術分野】
【０００１】  本発明は、釣りに用いる仕掛けに関する。
【背景技術】
【０００２】  船上の釣り人の竿先から伸ばした幹糸１をタチウオテンヤのオモリ１１の取付け用フック２に連結して沈め、釣りを想定した時の幹糸１の上下方向を垂直方向と呼ぶ。従来のタチウオテンヤの構造は、図４に示すようにオモリ１１から水平に取付けられた横軸３に３本の刺餌針４が設けられている。この刺餌針４の特徴は金属性の横軸３の軸上に沿って垂直方向、すなわち上を向いて取付けられており、図５に示すように餌のイワシ５は腹を下にして横軸３の軸上に沿って刺して、針金６を巻いてイワシ５の脱落防止をして海中に沈めて釣りを楽しんでいる。
【先行技術文献】
【０００３】
【特許文献】
【特許文献】特開２０１６−０５４７０７号
【発明の概要】
【発明が解決しようとする課題】
【０００４】  海中の太刀魚は上方向に居る獲物を下の方から物色し、立ち泳ぎをしながら下から噛みついて餌にする習性がある。従来のタチウオテンヤの釣り方もこの習性をうまく利用している。図６に示すようにイワシ５の腹の真下に横軸３があり、補食順序として最初に仕掛けの一番下にある金属性の横軸３に噛み付くと、特に危険を前もって察知できる古参の太刀魚や満腹状態の太刀魚は、吐き出して危険予知能力を発揮する。逆に空腹の太刀魚は横軸３とイワシ５を同時に深く口に入れる形になって竿先の大きなアタリで釣り人は釣り上げることができる。この動作の繰り返しで釣り人にはアタリがあっても思うように釣れない現象が多発する。太刀魚にとって餌のイワシ５の下側に金属性の横軸３が無いと安心してイワシ５を食べに行くので釣り人には更なる釣果が得られるものと思われる。この改良が急務でありその商品の製造方法の提供を目的としている。
【課題を解決するための手段】
【０００５】  船上の釣り人の竿先から伸ばした幹糸１をタチウオテンヤのオモリ１１の取付け用フック２に連結して沈め、釣りを想定した時の幹糸１の上下方向を垂直方向と呼ぶ。上述の目的を達成するために、図１に示すようにタチウオテンヤのオモリ１１から水平に取付けた金属性横軸３の片側方向にのみに４本の刺餌針４を直角・水平方向に取り付けたイワシ刺餌保持装置。さらに針先の懐深さを約４０ｍｍに広くとると効果が大である。
【発明の効果】
【０００６】  図１に示すようにタチウオテンヤのオモリ１１から水平に取付けた金属性横軸３の片側方向にのみに４本の刺餌針４を直角・水平方向に取り付けたイワシ刺餌保持装置。図４と図５に示すように従来法では太刀魚にとって好物である大切なイワシ５のお腹部分を刺餌針４に向けて刺すので刺し餌が傷み易くさらに太刀魚が食べに来るのを邪魔するが如き横軸３が存在している欠点があった。本発明のイワシ刺餌保持装置は図３に示すようにイワシ５の脊髄の辺りに横から刺餌針４を刺すのでイワシ５のお腹部分は傷つけなくなった。さらに太刀魚にとっては見た目にも自然体のイワシ５に映るし、噛んでも自然体のイワシ５なのでこの装置を用いると餌の食い込みが良くなる効果が認められる。さらに図７に示すように針先の懐深さは従来型では約３０ｍｍであったが改良法では約４０ｍｍと深くすると太刀魚の広い顔面を有効利用して針先でとらえる効果が発生する。換言すれば、針掛かりした太刀魚を船上に取り込む寸前にバラシが多発するような時、顔面への針掛かりが面の皮一枚の場合が想定され上述の処理で効果が有効である。この装置を用いると太刀魚が餌への食い込みが良くなり高釣果が期待できる特徴がある。
【図面の簡単な説明】
【０００７】
【図１】本発明のイワシ刺餌保持装置の斜視図である。
【図２】本発明のイワシ刺餌保持装置の横軸にイワシを装着した水中の斜視図である。
【図３】本発明のイワシ刺餌保持装置の横軸にイワシを装着した断面図である。
【図４】従来型のタチウオテンヤの上向き刺餌針の斜視図である。
【図５】従来型のタチウオテンヤのイワシ装着の水中の斜視図である。
【図６】従来型タチウオテンヤの上向きの刺餌針にイワシを装着した断面図である。
【図７】本発明の針先の懐深さの比較の側面図である。
【図８】本発明の刺餌針の取付け要領であるがコの字型刺餌針の側面図である。
【発明を実施するための形態】
【０００８】以下、本発明の実施の形態を図に基づいて説明する。
【０００９】  図１は本発明のイワシ刺餌保持装置で金属性横軸の直線部分の片側のみについて、幹糸とフック間の垂直ラインを基準にして横軸の直線部分の直角と、４ケ所の刺餌針を水平に取付けたイワシ刺餌保持装置である。
【００１０】  図２は図１のイワシ刺餌保持装置にイワシを装着した水中の斜視図である。
【００１１】  図３は図２のイワシ刺餌保持装置にイワシを装着したものでイワシの径の太い位置の断面図である。
【００１２】  図４は従来型タチウオテンヤの上向き刺餌針付きの斜視図である。
【００１３】  図５は図４にイワシを装着した水中の斜視図である。
【００１４】  図６は図４にイワシを装着したものでイワシの径の太い位置の断面図である。
【００１５】  図７は針先の懐深さ表示の断面図である。従来型の針先の懐深さは約３０ｍｍだが１０ｍｍアップにすると、折角釣った魚を手許でバラしたりする時、もう少し顔面深く針を掛けておれば解決できる手段となる。７は３０ｍｍ  ８は４０ｍｍの大きさの比較である。
【００１６】  本発明の改良型タチウオテンヤの横軸３の直線部分のみにシリコンチューブ、内径４ｍｍ外径６ｍｍの片側のみ縦割り物を装着すると、太刀魚が歯で噛み付いた時の違和感を和らげる効果がある。
【００１７】  図８は本発明の刺餌針であるが細手真直棒の底辺２０ｍｍで両側直角折れ、刺針長さ１５ｍｍである。２セットで４本の刺餌針の機能があり、優れ物である。
【産業上の利用可能性】
【００１８】  本発明は多くの人々が仕事上で発生するストレスの発散、解消に利用しているが、船の太刀魚釣りのレジャー産業の分野で利用することができる。
【符号の説明】
【００１９】  １  幹糸
２  フック
３  横軸
４  刺餌針
５  イワシ
６  針金
７  懐深さ３０ｍｍの針の形
８  懐深さ４０ｍｍの針の形
９  両端に刺餌針を持った詳細
１０  刺針長さ
１１  オモリ
【図１】
2020184982.tif 000003
【図２】
2020184982.tif 000004
【図３】
2020184982.tif 000005
【図４】
2020184982.tif 000006
【図５】
2020184982.tif 000007
【図６】
2020184982.tif 000008
【図７】
2020184982.tif 000009
【図８】
2020184982.tif 000010